(57)【特許請求の範囲】
【請求項１】
利用者が携行するコンピュータ端末とインターネット等のオープンコンピュータネットワークを介して接続されたサーバコンピュータと、
前記サーバコンピュータとのデータ通信を行う通信手段と、該通信手段を介して前記サーバコンピュータに登録されている少なくとも表示情報を有する広告或いは宣伝情報を含むコンテンツの配信を受けて、該配信された種々のコンテンツの表示が可能とされた表示手段を少なくとも備える電子ポスター端末と、
から成る電子ポスターシステムであって、
前記サーバコンピュータは、
前記電子ポスター端末に配信するコンテンツを記憶するためのコンテンツ記憶手段と、
前記利用者が携行するコンピュータ端末から該利用者が利用したい前記電子ポスター端末に予め固有に付与された識別情報を受け付ける指定受付け手段と、
前記コンテンツ記憶手段に記憶されている各コンテンツを前記利用者が選択可能なコンテンツメニューを生成するコンテンツメニュー生成手段と、
前記コンテンツメニュー生成手段にて生成されたコンテンツメニューを前記コンピュータ端末に配信するコンテンツメニュー配信手段と、
前記配信されたコンテンツメニューに基づいて、前記コンピュータ端末から送信されるコンテンツの選択を受け付け、該受け付けた選択に対応するコンテンツを前記指定受付け手段にて受け付けた識別情報にて特定される電子ポスター端末に配信するコンテンツ配信手段と、
を少なくとも備えることを特徴とする電子ポスターシステム。
【請求項２】
前記サーバコンピュータは、前記コンテンツ配信手段にて配信されるコンテンツの表示内容を変更或いは制御するための表示制御ページを前記利用者のコンピュータ端末に配信し、制御指示を受け付ける表示制御受付け手段を備える請求項１に記載の電子ポスターシステム。
【請求項３】
前記サーバコンピュータは、
前記コンピュータ端末の前記オープンコンピュータネットワーク上のアドレスと前記指定受付け手段にて受け付けた電子ポスター端末の識別情報とを、利用中の電子ポスターとして対応付けて利用中テーブルに登録する利用登録手段と、
前記指定受付け手段にて受け付けた電子ポスター端末の識別情報が利用中テーブルに既に登録されているか否かを確認する確認手段と、
前記確認手段における確認において受け付けた識別情報の登録がある場合には、利用不可であることを前記コンピュータ端末に配信する利用不可配信手段と、
を備える請求項１または２に記載の電子ポスターシステム。
【請求項４】
前記サーバコンピュータは、前記コンテンツ配信手段にて配信した各コンテンツの配信回数を前記各電子ポスター端末毎に累計する配信回数累計手段を備え、
前記コンテンツメニュー生成手段は、前記配信回数累計手段にて累計された前記指定受付け手段にて受け付けた識別情報にて特定される電子ポスター端末における各コンテンツの配信回数に基づいて、配信回数の多い順に各コンテンツが表示されるコンテンツメニューを生成する請求項１〜３のいずれかに記載の電子ポスターシステム。
【発明の詳細な説明】
【０００１】
【発明の属する技術分野】
本発明は、街頭や店舗内等の公衆が目視可能な場所に設置され、広告や宣伝等の表示情報を含む各種コンテンツを適時又は定期的に変更表示可能なディスプレイを有する電子ポスターシステムに関し、特には、これらディスプレイを有する電子ポスターを利用者がインタラクティブに操作して利用することのできる電子ポスターシステムに関する。
【０００２】
【従来の技術】
元来、街頭や店舗内等の公衆が目視可能な場所に設置される広告や宣伝用のポスターは、紙や布等の印刷媒体であるというのが常識であった。そのため、これら印刷を行うための印刷期間並びに新たなポスターへの貼り替えの手間等の制約から、ポスターの制作や掲載期間は通常において１ケ月単位とされており、その広告費用や制作コストの低減にも限界があった。
【０００３】
このため、これら広告を行うのに必要な最低金額をより低くして、より多くの人が簡便かつ迅速に広告を行うことができる手法として、ポスターとして表示内容を適時又は定期的に変更可能なディスプレを有する電子ポスターとし、該電子ポスターに表示データを配信するとともにその表示を管理するサーバコンピュータと前記電子ポスターとをデータ通信手段にて接続して、広告者からの広告や宣伝のコンテンツを前記電子ポスターに表示するようにした電子ポスターシステムが提案されてきている。
【０００４】
【発明が解決しようとする課題】
しかしながら、これら電子ポスターは、広告や宣伝のコンテンツを公衆に対して一方的に提供するのみでは、公衆の高い関心を惹き付けにくいことから、これら比較的大画面のディスプレイを有する電子ポスターを公衆が簡便に利用することのできるようにすることで、街頭等に設置される電子ポスター端末への関心を高めることが、広告や宣伝効果を高めることとなることから、これら電子ポスターを公衆が簡便に利用することのできるシステムが切望されていた。
【０００５】
よって、本発明は上記した問題点に着目してなされたもので、街頭等に設置される電子ポスターを公衆が簡便に利用することのできる電子ポスターシステムを提供することを目的としている。
【０００６】
【課題を解決するための手段】
前記した問題を解決するために、本発明の電子ポスターシステムは、
利用者が携行するコンピュータ端末とインターネット等のオープンコンピュータネットワークを介して接続されたサーバコンピュータと、
前記サーバコンピュータとのデータ通信を行う通信手段と、該通信手段を介して前記サーバコンピュータに登録されている少なくとも表示情報を有する広告或いは宣伝情報を含むコンテンツの配信を受けて、該配信された種々のコンテンツの表示が可能とされた表示手段を少なくとも備える電子ポスター端末と、
から成る電子ポスターシステムであって、
前記サーバコンピュータは、
前記電子ポスター端末に配信するコンテンツを記憶するためのコンテンツ記憶手段と、
前記利用者が携行するコンピュータ端末から該利用者が利用したい前記電子ポスター端末に予め固有に付与された識別情報を受け付ける指定受付け手段と、
前記コンテンツ記憶手段に記憶されている各コンテンツを前記利用者が選択可能なコンテンツメニューを生成するコンテンツメニュー生成手段と、
前記コンテンツメニュー生成手段にて生成されたコンテンツメニューを前記コンピュータ端末に配信するコンテンツメニュー配信手段と、
前記配信されたコンテンツメニューに基づいて、前記コンピュータ端末から送信されるコンテンツの選択を受け付け、該受け付けた選択に対応するコンテンツを前記指定受付け手段にて受け付けた識別情報にて特定される電子ポスター端末に配信するコンテンツ配信手段と、
を少なくとも備えることを特徴としている。
この特徴によれば、電子ポスターを利用したい利用者は、前記インターネット等のオープンコンピュータネットワークに接続可能なコンピュータ端末である携帯電話等を用いて、電子ポスターに表示されている前記サーバコンピュータのアドレスにアクセスして、自分の利用したい電子ポスターに付与、表示されている識別情報を指定するとともに、サーバコンピュータから配信されてくるコンテンツメニューにて電子ポスターに表示させたいコンテンツを選択することにより、所望のコンテンツを電子ポスターに表示させて利用することができるようになるため、これら街頭等に設置される電子ポスター端末を一般の人が簡便に利用することができ、結果的に電子ポスターへの公衆の関心を向上させることができる。
【０００７】
本発明の電子ポスターシステムの前記サーバコンピュータは、前記コンテンツ配信手段にて配信されるコンテンツの表示内容を変更或いは制御するための表示制御ページを前記利用者のコンピュータ端末に配信し、制御指示を受け付ける表示制御受付け手段を備えることが好ましい。
このようにすれば、利用者は、電子ポスターに表示させたコンテンツの表示を異なる表示に変更したり、表示状態、例えば表示の大きさや枠表示の有無等を制御することができる。
【０００８】
本発明の電子ポスターシステムの前記サーバコンピュータは、
前記コンピュータ端末の前記オープンコンピュータネットワーク上のアドレスと前記指定受付け手段にて受け付けた電子ポスター端末の識別情報とを、利用中の電子ポスターとして対応付けて利用中テーブルに登録する利用登録手段と、
前記指定受付け手段にて受け付けた電子ポスター端末の識別情報が利用中テーブルに既に登録されているか否かを確認する確認手段と、
前記確認手段における確認において受け付けた識別情報の登録がある場合には、利用不可であることを前記コンピュータ端末に配信する利用不可配信手段と、
を備えることが好ましい。
このようにすれば、同一の電子ポスターが重複利用されて、表示が不用意に変更されてしまうような不都合を回避することができる。
【００１２】
本発明の電子ポスターシステムの前記サーバコンピュータは、前記コンテンツ配信手段にて配信した各コンテンツの配信回数を前記各電子ポスター端末毎に累計する配信回数累計手段を備え、
前記コンテンツメニュー生成手段は、前記配信回数累計手段にて累計された前記指定受付け手段にて受け付けた識別情報にて特定される電子ポスター端末における各コンテンツの配信回数に基づいて、配信回数の多い順に各コンテンツが表示されるコンテンツメニューを生成することが好ましい。
このようにすれば、前記コンテンツメニューにおいては、人気の高いコンテンツが上位に表示されるより、利用者の利便性を向上できる。
【００１３】
【発明の実施の形態】
（実施例）
図１は、本実施例における電子ポスターシステムの構成を示すシステム概要図であり、図２は、本実施例の電子ポスターシステムに用いた電子ポスターを示す外観正面図であり、図３は、本実施例の電子ポスターシステムに用いた電子ポスターの構成を示すブロック図であり、図４は、本実施例の電子ポスターシステムに用いたサーバコンピュータの構成を示すブロック図であり、図５は、本実施例の電子ポスターシステムに用いたサーバコンピュータにおける電子ポスターサイトの構成を示すサイトマップ図である。
【００１４】
まず、本実施例の電子ポスターシステムの構成は、図１に示すように、オープンコンピュータネットワークであるインターネット網５に通信装置２を介して接続され、配信センターに設置されているサーバコンピュータ１と、該サーバコンピュータ１とともに配信センターに設置され、前記通信装置２を介してインターネット網５に接続されて、後述する電子ポスター６の管理を行う管理サーバ３と、該管理サーバ３とサーバコンピュータ１とが接続されたローカルエリアネットワーク（ＬＡＮ）に接続され、これらＬＡＮと各電子ポスター端末６とを専用回線を介して接続する通信装置４と、該通信装置４と専用回線を介して双方向のデータ通信可能に接続され、前記サーバコンピュータ１や管理サーバ３から配信されたコンテンツ並びに広告や宣伝等を表示可能な電子ポスター端末６と、から主に構成されている。
【００１５】
また、前記インターネット網５には、広告依頼者のコンピュータ端末１０や、広告代理店のコンピュータ端末１１、並びに広告作成者（会社）のコンピュータ端末１２がインターネット網を介し相互に接続されているとともに、これら各コンピュータ端末は前記配信センターに設置されている管理サーバ３にアクセスすることが可能とされている。
【００１６】
この本実施例の管理サーバ３には、利用者が利用していない状況において前記電子ポスター端末６に表示される広告内容やその表示スケジュール（時間割）等が閲覧可能に登録されており、前記広告依頼者からの新たな広告の依頼を受け付けたり、広告代理店が所望する電子ポスターの広告の空き時間帯枠を確認したり、前記広告作成者が新規の広告依頼の広告コンテンツの作成に応募すること等ができるようになっている。
【００１７】
尚、本実施例では前述のように、電子ポスター端末６と配信センターとを専用回線を用いて接続しており、これら専用回線を用いて電子ポスター端末６と配信センターとを閉鎖的なネットワークにて接続するようにすることは、これら電子ポスター端末６が不正なアクセスにさらされる危険性を低く抑えることができることから好ましいが、本発明はこれに限定されるものではなく、これら電子ポスター端末６と配信センターとを接続する手法としては、ケーブルテレビ（ＣＡＴＶ）のデータ通信網や、衛星データ放送等の無線回線を用いたもの、或いはインターネット網５に接続可能な機能を有する携帯電話器を内蔵したものとしても良く、これら接続手法は電子ポスター６の設置環境や表示能力等に合わせて適宜に選択すれば良い。
【００１８】
また、前記各電子ポスター端末６を利用者が利用するためのコンピュータ端末として、本実施例では、前記インターネット網５への接続が、基地局８並びにゲートウエイサーバ９とを介して実施可能な携帯電話７を用いている。
【００１９】
このように、利用者が電子ポスター６を利用するためのコンピュータ端末としてインターネット網５への接続機能を有する携帯電話７を用いることは、これらインターネット網５への接続機能を有する携帯電話７の普及が高く、多くの利用者が操作に慣れた自分の携帯電話７を用いて電子ポスター端末６を利用できるようになることから好ましいが、本発明はこれに限定されるものではなく、後述するように、これら携帯電話７を用いずに、前記電子ポスター端末６に設けられている操作パネル６２を用いて操作を行うようにしても良い。
【００２０】
まず、本実施例にて用いた電子ポスター端末６について説明すると、本実施例の電子ポスター端末６の外観は図２に示すようになっており、その前面には横長とされた長方形型のプラズマディスプレイから成る表示パネル６１が設けられているとともに、該表示パネル６１の外周部の上部中央位置には、人（観衆）の有無を検出するための赤外線センサ６５が、また、前記表示パネル６１の外周部の向かって左側方位置には、音を出力するためのスピーカ６４並びに操作パネル６２と、前記携帯電話７のシリアルポートに装着することで、前記サーバコンピュータ１の電子ポスターサイトへのアクセス並びに該電子ポスターの識別符号である電子ポスターＩＤが自動入力されるコネクター６３が設けられている。
【００２１】
この電子ポスター端末６の構成は、図３に示すようになっており、その内部には、前記プラズマディスプレイから成る表示パネル６１の表示制御を行う表示ドライバ６６と、前記スピーカ６４より出力される音声或いは音楽をデジタルデータから再生し、増幅するアンプ内蔵Ｄ／Ａコンバータ６７と、前記コネクター６３に接続され、該コネクター６３を通じて携帯電話７に対し、前記サーバコンピュータ１へのアクセス処理並びに電子ポスターＩＤとの入力処理を行う接続処理プログラム並びに前記サーバコンピュータ１のＵＲＬアドレスと電子ポスターＩＤとを送出するシリアル通信部７２と、前記専用回線を通じてサーバコンピュータ１や管理サーバ３とのデータ通信を実施する通信部７０と、比較的容量が大きくて事前配信されているコンテンツデータや非利用時に表示される広告コンテンツデータ並びにその表示スケジュールや、前記接続処理プログラム並びに前記サーバコンピュータ１のＵＲＬアドレス（本実施例では、ｈｔｔｐ：／／ｗｗｗ．ｉｔｎｅｗｓ２．ｃｏ．ｊｐ（図２参照）とした）と電子ポスターＩＤ並びに利用者の非利用時に表示パネル６１に表示される広告コンテンツデータとその表示スケジュール等の各種データが登録されたハードディスク等から成る記憶部６９と、時間情報やカレンダー情報を出力可能なリアルタイムクロック（ＲＴＣ）７３や、電子ポスター端末６の動作制御を行う制御マイコン（ＭＰＵ）７１並びに該制御マイコン（ＭＰＵ）７１が制御処理に使用するためのＲＡＭ６８や、前記赤外線センサ６５や、前記操作パネル６２が、図３に示すように、前記制御マイコン（ＭＰＵ）７１が制御可能に接続されている。
【００２２】
これら本実施例のように、前記操作パネル６２を電子ポスター端末６の前面に設けるようにすることは、インターネット網５への接続機能を有する携帯電話７を携行しない人も、該操作パネル６２を操作して操作パネル６２を利用できるようになることから好ましいが、本発明はこれに限定されるものではない。
【００２３】
また、本実施例の電子ポスター端末６は、前述のように赤外線センサ６５がその前面上部中央位置に設けられており、該赤外線センサ６５が予め定められた所定時間に渡って人からの赤外線を検知しない場合においては、表示を行わないようになっており、このようにすることは、電子ポスター端末６の前面に人（観衆）がいない状況において、不必要に広告表示等がなされてしまう無駄を省くことが可能となることから好ましいが、本発明はこれに限定されるものではなく、これらセンサとして音センサを使用或いは併用したりしても良いし、これらセンサを適宜に省くようにしても良い。
【００２４】
また、本実施例では、前述のように、表示パネル６１としてプラズマディスプレイを用いており、これらプラズマディスプレイは、ディスプレイの厚みが比較的薄いばかりか、比較的大画面を作成でき、且つ自己発光型であって高輝度で鮮明なカラー画像を表示できることから好ましいが、本発明はこれに限定されるものではなく、その他の表示方式、例えば液晶ディスプレイやLED/蛍光管、プロジェクター、やＥＬディスプレイ等を、設置場所や設置環境に応じて適宜に選択することができる。
【００２５】
尚、これら表示パネル６１は、平面である必要はなく、例えば柱等の曲率を有する曲面に設けるようにしても良く、これら曲面に追随可能な表示パネル６１として、有機ＥＬディスプレイ等によるフィルム型ディスプレイを用いるようにしても良い。
【００２６】
また、本実施例では前述のように、電子ポスター端末６の前面の隅部位置に、図１３に示すように、携帯電話７に装着可能なコネクター６３を引き出し自在に設けていて、これを利用者が自分の携帯電話７に装着することで、携帯電話７が自動的にサーバコンピュータ１の電子ポスターサイトにアクセスするとともに、後述するトップページにて入力が必要となる利用しようとする電子ポスターの電子ポスターＩＤが自動入力されるようになっており、このようにすれば、通常において図２に示すように、表示パネル６１の外周所定位置に表示されている電子ポスターＩＤを、利用者が逐次入力する手間を省くとともに、これらの入力間違えを解消することが可能となることから好ましいが、本発明はこれに限定されるものではない。
【００２７】
次いで、本実施例の前記配信センターに設置されているサーバコンピュータ１は、図４に示すような構成とされ、コンピュ−タ１の内部にてデ−タの送受を行うデ−タバス１００に、利用者からの携帯電話から電子ポスターＩＤの受付や該電子ポスターに配信するコンテンツのメニュー生成処理並びにコンテンツの受付等を行う各種受付処理や、該受付処理にて受け付けたコンテンツの配信処理並びに前記各電子ポスター端末６に付与されている識別符号である電子ポスターＩＤの更新処理等の各種処理をプログラムに基づいて実施する中央演算処理装置（ＣＰＵ）１０１や、該ＣＰＵ１０１のワークメモリ等に使用されるＲＡＭ１０２や、現在の時刻情報や任意年月日の曜日等のカレンダ−情報を出力可能なリアルタイムクロック（ＲＴＣ）１０７や、キーボード等の入力装置１０６並びにディスプレイ等の表示装置１０４と、前記インターネット網５に接続された通信装置２に接続されてデータの送受信を行う第１の通信インターフェイス１０３と、前記ＬＡＮを介して通信装置４に接続されて、各電子ポスター６や管理サーバ３とのデータ通信を行う第２の通信インターフェイス１０８と、磁気ディスクや光磁気ディスクから成り、前記中央演算処理装置（ＣＰＵ）１０１が実施する、前記各種処理プログラムや、各電子ポスター端末６の電子ポスターＩＤや表示仕様等が登録された電子ポスターデータベース（ＤＢ）や、配信する各種コンテンツデータが登録されているコンテンツデータベース（ＤＢ）や、各電子ポスター毎に配信されたコンテンツの履歴が登録され、各電子ポスター毎の配信回数の多いコンテンツを導出可能な配信履歴データベース（ＤＢ）等が記憶されている記憶装置１０５と、が接続された比較的演算能力に優れた通常のコンピュ−タとされている。
【００２８】
以下、利用者が電子ポスター端末６を利用する流れについて、図５の処理全体を示すフロー図と利用者の携帯電話の表示パネル７’の表示内容を示す各表示ページを参照して説明する。尚、以下の説明においては、利用者は前記インターネット網５に接続可能な携帯電話７を携行しており、該携帯電話７を用いて前記電子ポスター端末６を利用する例について説明するが、前述のように、これら携帯電話７を持たない利用者も前記操作パネル６２を用いて電子ポスター端末６を利用することができる。
【００２９】
まず、通常において電子ポスター端末６の表示パネル６１には、前記赤外線センサ６５による人の検出が所定時間なされない場合を除き、前記記憶部６９に登録されている表示スケジュールに基づき、該記憶部６９に登録されている広告コンテンツが順次表示されるようになっていて、これら広告コンテンツの内容や表示スケジュールに関しては、前記管理サーバ３が管理するようになっている。
【００３０】
これら広告の表示中（他の利用者が利用していない状況）等において、利用者は利用したい電子ポスター端末６に表示されている前記サーバコンピュータ１のＵＲＬアドレスである「ｈｔｔｐ：／／ｗｗｗ．ｉｔｎｅｗｓ２．ｃｏ．ｊｐ」へアクセスする。
【００３１】
このアクセス方法としては、携帯電話７に前記サーバコンピュータ１のＵＲＬアドレスを直接入力しても良いし、図１３に示すように、電子ポスター端末６の近傍にいる場合には、前記コネクター６３を携帯電話７に装着することで、電子ポスター端末６の前記記憶部６９から接続処理プログラム（スクリプト）並びに前記サーバコンピュータ１のＵＲＬアドレスと電子ポスターＩＤとが読み出されて、自動的にサーバコンピュータ１にアクセスして図６に示す電子ポスターサイトのトップページが表示されるとともに、該トップページに設けられている電子ポスターＩＤの入力欄に自動的に前記電子ポスター６から出力された電子ポスターＩＤが入力されて自動的に図８に示すメニューページが表示されるようになっている。
【００３２】
このように、コネクター６３を設けて電子ポスター端末６より接続処理プログラム（スクリプト）並びに前記サーバコンピュータ１のＵＲＬアドレスと電子ポスターＩＤとを出力して、該コネクター６３を装着することによりサーバコンピュータ１に自動的にアクセスするとともに、電子ポスター端末６の電子ポスターＩＤが自動入力するようにすることは、これらＵＲＬアドレスや電子ポスターＩＤの入力の手間や間違い入力を解消できることから好ましいが、本発明はこれに限定されるものではなく、これら電子ポスター６の前面外枠上部位置に表示されているＵＲＬアドレスや前記表示パネル６１の外周下方隅部位置に表示されている電子ポスターＩＤを前記携帯電話７より直接入力するようにしても良い。
【００３３】
また、本実施例では、前記サーバコンピュータ１に直接アクセスする事例について説明しているが、本発明はこれに限定されるものではなく、種々のホームページやサイト上に、前記電子ポスターサイトへのリンクを設けておき、各サイトを利用する際に、その表示を拡大表示させるために、最寄りの電子ポスターを利用できるようにしても良い。
【００３４】
これら携帯電話７からのアクセスに対するサーバコンピュータ１の処理内容としては、アクセスしてきた携帯電話７に対し図６に示すように利用したい電子ポスター６の電子ポスターＩＤの入力欄が設けられている前記トップページを配信し、利用したい電子ポスター６の識別符号である電子ポスターＩＤを受け付けるようになっている。
【００３５】
該トップページにて電子ポスターＩＤを受け付けると、サーバコンピュータ１は、該受け付けた電子ポスターＩＤが、既に使用中の電子ポスター６が登録されている利用中テーブルに登録されているかを確認し、登録されている場合には、図７に示すように「指定された電子ポスターは使用中です。しばらくたってからご利用下さい。」のメッセージが配信され、利用中テーブルに登録がない場合において、図８に示すメニューページに進むとともに、該電子ポスターＩＤとアクセスしてきた携帯電話のＩＰアドレスとを対応付けて前記利用中テーブルに登録するようになっている。尚、利用者が前記操作パネル６２を用いて利用する場合には、前記ＩＰアドレスの項目に電子ポスターの示す識別符号を登録する。
【００３６】
このように、利用中となった電子ポスター６とその利用者の携帯電話のＩＰアドレスとが対応付けて登録される利用中テーブルを設け、アクセスしてきた利用者から受け付けた電子ポスターＩＤの電子ポスター６が既に使用中となっていないかを確認することは、同一の電子ポスター６が重複利用されて、表示が不用意に変更されてしまうような不都合を回避することができることから好ましいが、本発明はこれに限定されるものではない。また、本実施例では、１つの電子ポスター６の利用者を１人としているが、本発明はこれに限定されるものではなく、画面を２画面や３画面等に複数に分割して、複数の利用者が同一の電子ポスター６を同時に利用できるようにしても良い。
【００３７】
次いで、サーバコンピュータ１は、図８に示す各コンテンツを選択可能なメニューページを生成、配信するが、このメニューページに表示される各コンテンツの表示順序は、前記配信履歴データベースに登録されている各電子ポスター６毎の配信履歴から、その電子ポスター６における各メニューコンテンツの配信累計回数を算出し、最も配信回数の多い順にコンテンツを並べてメニューページを生成するようになっている。
【００３８】
このように、配信されるメニューページのコンテンツの順序を、配信回数の多い順とすることは、人気の高いコンテンツが上位に表示されるより、利用者の利便性を向上できることから好ましいが、本発明はこれに限定されるものではない。
【００３９】
また、この配信されるメニューページには、図８に示すように、ＵＲＬ入力の項目が設けられており、該項目を選択することで、図９に示すサイトアドレスの入力画面に移行し、利用者が閲覧したいサイトのＵＲＬを入力欄に直接入力するか、或いは既に登録されているブックマークを用いてＵＲＬを入力すると、入力されたＵＲＬのサイトに前記サーバコンピュータがアクセスし、該サイトからコンテンツを代理入手して電子ポスター６へ配信することで、前記指定したサイトのコンテンツを大きな表示パネル６１を有する電子ポスター６にて閲覧することができるようになっている。
【００４０】
このように、利用者が閲覧したいサイトのＵＲＬを受け付けて、該サイトのコンテンツを代理入手して前記電子ポスター６へ配信、表示することは、利用者は、自己が携行する携帯電話７ではアクセスして表示することができない携帯電話非対応のサイトのコンテンツを、前記電子ポスター端末６に表示させることが可能となるばかりか、自己が携行する携帯電話７でもアクセスできるが自己の携帯電話７だと表示が小さくなってしまって見難いサイトのコンテンツを、比較的大きな表示パネルを有する電子ポスター端末６に表示させることが可能となることから好ましいが、本発明はこれに限定されるものではない。
【００４１】
また、前記図８に示すメニューページにおいて、例えば最上位のコンテンツであるスポット検索（目的地検索）のコンテンツを選択した場合について、図１０を用いて説明すると、該メニューページにてスポット検索を選択して携帯電話７の「決定ボタン」（図示略）を入力すると、検索方法を選択する検索方法選択ページＢ１が配信されて携帯電話７の表示パネル７’に表示される。
【００４２】
本実施例においては、この検索方法として、「１．電話番号検索」と、「２．住所入力検索」と、「３．地名、建物、氏名、会社名検索」の３つの項目と、「４．その他」並びに「５．操作案内」の５つの項目が選択可能に設けられており、前記「４．その他」の項目には、通りの名称や地域俗称等にによる検索内容が可能とされているとともに、前記「５．操作案内」には、各項目の検索方法についての説明が表示されるようになっている。
【００４３】
この検索方法選択ページＢ１にて例えば「１．電話番号検索」を選択した場合には、電話番号入力検索ページＣ１１が配信、表示されて検索したい相手先の電話番号を受付けて、該電話番号に該当する位置が示された地図データが、図１０に示すように、前記電子ポスター端末６に配信、表示されるようになっている。
【００４４】
この電話番号入力検索ページＣ１１の入力後に、該携帯電話７には、表示制御ページＤ１１が選択可能に配信されて、利用者が表示されている地図の拡大、縮小表示や表示の移動を行うことができるようになっている。
【００４５】
このように、本実施例では、電子ポスター端末６の表示状態を制御することのできる表示制御ページＤ１１を配信して、利用者が自分の携帯電話７にて表示制御を実施できるようにすることは、利用者が適宜に自分の所望する表示状態に表示を変更することができることから好ましいが、本発明はこれに限定されるものではない。
【００４６】
また、本実施例では、前記表示制御ページＤ１の制御項目を図１０に示すように、拡大や縮小並びに表示位置の移動としているが、本発明はこれに限定されるものではなく、例えば前述のように利用者よりＵＲＬを受け付けて、該サイトのコンテンツを代理入手して前記電子ポスター６へ配信、表示する場合において、フレーム構成の表示態様をフレーム無しに変更したり、分割表示等を実施や、前ページ或いは次ぎページへの移動を実施する等の表示に関する制御ページを利用者の携帯電話７に配信するようにしても良い。
【００４７】
次いで、前記図８に示すメニューページにおいて、例えば３位のコンテンツであるお得（セール）情報のコンテンツを選択した場合について、図１１を用いて説明すると、該メニューページにて「お得（セール）情報」を選択して携帯電話７の「決定ボタン」（図示略）を入力すると、お得（セール）情報選択ページＢ３が配信されて携帯電話７の表示パネル７’に表示される。
【００４８】
本実施例においては、このお得（セール）情報選択ページＢ３の選択肢として、「１.ａｂｃ」、「２.ｄｅｆ」、「３.ｈｉｊｋ」、「４.ｌｍｎ」、「５.ｏｒｑ」、「６.ｒｓｔ」の六つの情報が登録されており、これらの情報は、広告依頼者からのセールやバーゲン等の広告依頼に基づき、その広告内容がお得情報として前記各項目にて提供されるようになっている。
【００４９】
このお得（セール）情報選択ページＢ３にて「１.ａｂｃ」の項目を選択した場合には、「１.ａｂｃ」の項目に該当する広告コンテンツが、前記サーバコンピュータ１の記憶装置１０５に記憶されているコンテンツデータベース（ＤＢ）から読み出されて前記電子ポスター端末６に配信され、図１１に示すように表示パネル６１に「世界の名器・・・・」が表示されるとともに、選択されたお得情報に関するより詳しい情報を取り出すためのお得（セール）情報ページＣ３１が携帯電話７に配信されて表示される。
【００５０】
このお得（セール）情報ページＣ３１には、選択することで詳細な情報の案内であるもっと案内ページＤ３１が表示される「１.詳しい情報」の項目と、選択することで電子メールアドレスの入力欄を有するメールで情報ページＤ３２が表示される「２.メールで情報」の項目と、選択することでファックス番号の入力欄を有するＦＡＸで情報ページＤ３３が表示される「３. ＦＡＸで情報」の項目と、、選択することでより詳細な案内情報の音声ファイルが配信される音声で情報ページＤ３４が表示される「４. 音声で情報」の項目とがもうけられており、利用者はより詳細あな情報を入手したい手法を選択して入手することができるようになっている。
【００５１】
次いで、前記図８に示すメニューページにおいて、例えば４位のコンテンツである新譜情報のコンテンツを選択した場合について、図１２を用いて説明すると、該メニューページにて「新譜情報」を選択して携帯電話７の「決定ボタン」（図示略）を入力すると、新譜情報選択ページＢ４が配信されて携帯電話７の表示パネル７’に表示される。
【００５２】
該新譜情報選択ページＢ４において、利用者が入手したいアーティスト、例えば「１．アーティストａ」を選択すると、サーバコンピュータ１は、該選択された新譜コンテンツを前記コンテンツデータベース（ＤＢ）から読み出すとともに、該新譜コンテンツ中のデモ音楽データを利用者の携帯電話７へ配信するとともに、該新譜コンテンツのビデオ画像データを特定可能なビデオクリップ番号と再生指示を電子ポスター端末６へ配信する。
【００５３】
尚、本実施例では、ビデオ画像データはそのデータ容量が非常に大きいため、予め各新譜コンテンツのビデオ画像データをそのビデオ画像データを特定可能なビデオクリップ番号とともに各を電子ポスター端末６へ事前配信して、前記記憶部６９に予め記憶させており、前記サーバコンピュータ１からは、選択された新譜コンテンツが該当するビデオクリップ番号が再生指示とともに電子ポスター端末６へ配信されるようになっており、前記デモ音楽データの携帯電話７への配信中（ダウンロード中）においても、選択された新譜コンテンツ中のビデオ画像が電子ポスター端末６の表示パネル６１に再生表示されるようになっている。
【００５４】
このデモ音楽データの携帯電話７への配信（ダウンロード）が完了した場合に、利用者が「再生」を選択することで、携帯電話７においてダウンロードされたデモ音楽が再生されるとともに、該再生指示がサーバコンピュータ１から電子ポスター端末６に配信されて、音楽と画像とが同期して再生されるようになっている。
【００５５】
このように、コンテンツ中に音楽（音声でも良い）を含む場合において、これら音楽や音声のデータを利用者の携帯電話７へ配信し、該携帯電話７にて再生、出力することは、これら再生音声や音楽が前記電子ポスター端末６の前面に設けられたスピーカ６４より出力されて、これらの音が騒音となってしまうことを回避できることから好ましいが、本発明はこれに限定されるものではない。
【００５６】
次いで、本実施例のサーバコンピュータ１が、各電子ポスター端末６に付与されている電子ポスターＩＤを更新する処理について説明すると、本実施例のサーバコンピュータ１は、前記管理サーバ３からの更新指示出力に基づいて、所定期間（本実施例では１日に１回、深夜の所定メンテナンス時刻）毎に、各電子ポスター端末６の新たな電子ポスターＩＤを生成して、前記電子ポスターデータベース（ＤＢ）に登録されている電子ポスターＩＤを新たなＩＤに更新するとともに、該新たなＩＤを各電子ポスター端末６に配信して、各電子ポスター端末６の前記記憶部６９に登録されている電子ポスターＩＤの更新を行う。
【００５７】
このように、定期的に電子ポスターＩＤの変更を実施することは、一度電子ポスター端末６を利用する等により、前記識別情報である電子ポスターＩＤを知覚している利用者が、電子ポスター端末の設置場所に居ずに利用の必要がないのにも関わらず、悪戯に電子ポスターを利用することを回避することが可能となることから好ましいが、本発明はこれに限定されるものではない。
【００５８】
また、前記実施例では、サーバコンピュータ１と管理サーバ３とを個別に設けているが、本発明はこれに限定されるものではなく、これら各サーバを１つのサーバにて構築するようにしても良い。
【００５９】
以上、本実施例のようにすれば、利用者は、オープンコンピュータネットワークである前記インターネット網５に接続可能なコンピュータ端末である携帯電話７を用いて、電子ポスター端末６に表示されている前記サーバコンピュータ１のアドレスにアクセスして、自分の利用したい電子ポスター端末６に付与、表示されている識別情報を指定するとともに、サーバコンピュータ１から配信されてくるコンテンツメニューにて電子ポスター端末６に表示させたいコンテンツを選択することにより、所望のコンテンツを電子ポスター端末６の表示パネル６１に表示させて利用することができるようになるため、これら街頭等に設置される電子ポスター端末６を一般の人が簡便に利用することができるようになり、結果的に電子ポスターへの公衆の関心を向上させることができる。
【００６０】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００６１】
例えば、前記電子ポスター端末６は固定設置を前提とするものではなく、データ通信手段として無線等による通信を用いることで、自動車や列車に搭載して動的に移動するようにしても良い。
【００６２】
また、前記実施例では実施していないが、インターネット接続機能を有しない携帯電話による電子ポスター端末６の利用を可能とするために、電話の音声による入力操作が可能なコールセンターを別途設け、該コールセンターの電話番号を電子ポスター端末６に表示して、インターネット網５への接続機を有しない携帯電話等による利用を可能とするようにしても良い。
【００６３】
また、前記実施例では、利用者のコンピュータ端末として携帯電話７を例示しているが、本発明はこれに限定されるものではなく、その他、ＰＨＳやＰＤＡ端末等を用いるようにしても良い。
【００６４】
【発明の効果】
本発明は次の効果を奏する。
（ａ）請求項１の発明によれば、電子ポスターを利用したい利用者は、前記インターネット等のオープンコンピュータネットワークに接続可能なコンピュータ端末である携帯電話等を用いて、電子ポスターに表示されている前記サーバコンピュータのアドレスにアクセスして、自分の利用したい電子ポスターに付与、表示されている識別情報を指定するとともに、サーバコンピュータから配信されてくるコンテンツメニューにて電子ポスターに表示させたいコンテンツを選択することにより、所望のコンテンツを電子ポスターに表示させて利用することができるようになるため、これら街頭等に設置される電子ポスター端末を一般の人が簡便に利用することができ、結果的に電子ポスターへの公衆の関心を向上させることができる。
【００６５】
（ｂ）請求項２の発明によれば、利用者は、電子ポスターに表示させたコンテンツの表示を異なる表示に変更したり、表示状態、例えば表示の大きさや枠表示の有無等を制御することができる。
【００６６】
（ｃ）請求項３の発明によれば、同一の電子ポスターが重複利用されて、表示が不用意に変更されてしまうような不都合を回避することができる。
【００６７】
（ｄ）請求項４の発明によれば、利用者は自分が携行するコンピュータ端末である携帯電話等より、外部の騒音等に影響されることなく音声或いは音楽情報を入手できるようになる。
【００６８】
（ｅ）請求項５の発明によれば、利用者は、自己が携行するコンピュータ端末ではアクセスして表示することができないサイトのコンテンツを、前記電子ポスター端末に表示させることが可能となるばかりか、自己が携行するコンピュータ端末でもアクセスできるが自己のコンピュータ端末だと表示が小さくなってしまって見難いサイトのコンテンツを、比較的大きな表示領域を有する電子ポスター端末に表示させることが可能となる。
【００６９】
（ｆ）請求項６の発明によれば、一度電子ポスター端末を利用する等により、前記識別情報を知覚している利用者であって、電子ポスター端末の設置場所にいない利用者により、悪戯に電子ポスターが利用されてしまうことを回避できる。
【００７０】
（ｇ）請求項７の発明によれば、前記コンテンツメニューにおいては、人気の高いコンテンツが上位に表示されるより、利用者の利便性を向上できる。
【図面の簡単な説明】
【図１】本発明の実施例における電子ポスターシステムの構成を示すシステム概要図である。
【図２】本発明の実施例の電子ポスターシステムに用いた電子ポスターを示す外観正面図である。
【図３】本発明の実施例の電子ポスターシステムに用いた電子ポスターの構成を示すブロック図である。
【図４】本発明の実施例の電子ポスターシステムに用いたサーバコンピュータの構成を示すブロック図である。
【図５】本発明の実施例の電子ポスターシステムに用いたサーバコンピュータにおける電子ポスターサイトの構成を示すサイトマップ図である。
【図６】本発明の実施例の電子ポスターシステムに用いたサーバコンピュータにおけるトップページを示す図である。
【図７】本発明の実施例の電子ポスターシステムに用いたサーバコンピュータにおけるアラートメッセージを示す図である。
【図８】本発明の実施例の電子ポスターシステムに用いたサーバコンピュータにおけるメニューページを示す図である。
【図９】本発明の実施例の電子ポスターシステムに用いたサーバコンピュータにおけるＵＲＬ入力ページを示す図である。
【図１０】本発明の実施例の電子ポスターシステムに用いたサーバコンピュータにおけるメニューページにおいて、スポット検索のコンテンツを選択した場合の説明図である。
【図１１】本発明の実施例の電子ポスターシステムに用いたサーバコンピュータにおけるメニューページにおいて、お得（セール）情報のコンテンツを選択した場合の説明図である。
【図１２】本発明の実施例の電子ポスターシステムに用いたサーバコンピュータにおけるメニューページにおいて、新譜情報のコンテンツを選択した場合の説明図である。
【図１３】本発明の実施例の電子ポスターシステムの電子ポスター端末に設けられたコネクタの携帯電話への装着状況を示す図である。
【符号の説明】
ｌ        サーバコンピュータ
２        通信装置
３        管理サーバ
４        通信装置
５        インターネット網
６        電子ポスター端末
７        携帯電話
７’      表示パネル
８        基地局
９        ゲートウエイサーバ
１０      コンピュータ端末（広告依頼者）
１１      コンピュータ端末（広告代理店）
１２      コンピュータ端末（広告作成者）
６１      表示パネル
６２      操作パネル
６３      コネクター
６４      スピーカ
６５      赤外線センサ
６６      表示ドライバ
６７      アンプ内蔵Ｄ／Ａコンバータ
６８      ＲＡＭ
６９      記憶部
７０      通信部
７１      制御マイコン（ＭＰＵ）
７２      シリアル通信部
７３      リアルタイムクロック（ＲＴＣ）
１００    データバス
１０１    中央演算処理装置（ＣＰＵ）
１０２    ＲＡＭ
１０３    第１の通信インターフェイス
１０４    表示装置
１０５    記憶装置
１０６    入力装置
１０７    リアルタイムクロック（ＲＴＣ）
１０８    第２の通信インターフェイス
【図１】
0003745650.tif 000002
【図２】
0003745650.tif 000003
【図３】
0003745650.tif 000004
【図４】
0003745650.tif 000005
【図５】
0003745650.tif 000006
【図６】
0003745650.tif 000007
【図７】
0003745650.tif 000008
【図８】
0003745650.tif 000009
【図９】
0003745650.tif 000010
【図１０】
0003745650.tif 000011
【図１１】
0003745650.tif 000012
【図１２】
0003745650.tif 000013
【図１３】
0003745650.tif 000014